(57)【要約】【課題】充分な水処理性能を確保しつつ、圧力損失を低減でき、かつ制御が容易で構造が簡便な水処理カートリッジ、及び該水処理カートリッジを備えるシャワーヘッドを提供することを目的とする。【解決手段】径方向よりも軸方向に長い筒状のカートリッジケース１０と、カートリッジケース１０内に水処理材が充填されて形成された水処理層１２と、を備え、水処理層１２に、その水処理層１２における軸方向に略平行する側面の一方の側の部分１２ａからその反対側の部分１２ｂに向かって水が流れるようになっている、水処理カートリッジ１。また、水処理カートリッジ１がグリップ１１０内に内蔵されたシャワーヘッド１００。【選択図】図６
2017051917.tif 000002
【特許請求の範囲】
【請求項１】
径方向よりも軸方向に長い筒状のカートリッジケースと、前記カートリッジケース内に水処理材が充填されて形成された水処理層と、を備え、
前記水処理層に、該水処理層における軸方向に略平行する側面からその反対側に向かって水が流れるようになっている、水処理カートリッジ。
【請求項２】
前記水処理材が陽イオン交換体である、請求項１に記載の水処理カートリッジ。
【請求項３】
請求項１又は２に記載の水処理カートリッジを備える、シャワーヘッド。
【発明の詳細な説明】
【技術分野】
【０００１】
本発明は、水処理カートリッジ及びシャワーヘッドに関する。
【背景技術】
【０００２】
浴室、洗面台等に備えられているシャワーには、一般に水道水が用いられる。水道水には髪や肌を傷める要因となる残留塩素が多く含まれている。そこで、水道水中の残留塩素を除去できる浄化材（亜硫酸カルシウム等）を充填したカートリッジが内蔵されたシャワーヘッドが広く用いられている。
【０００３】
このようなシャワーヘッドとしては、水を噴射する頭部内に、浄化材を充填したカートリッジが内蔵されたシャワーヘッドが挙げられる。具体的には、例えば、亜硫酸カルシウム等の浄化材を充填したカートリッジが頭部に内蔵され、かつ頭部内にカートリッジの外部を通るバイパス流路が形成され、該バイパス流路を通った水がカートリッジ内を通った水と合流されて噴射されるシャワーヘッドが知られている（特許文献１、２）。
【０００４】
しかし、近年では、シャワーヘッドの頭部内に、水の噴出パターンや通水流路等を切り替える切替機構等が内蔵されることが多く、水の浄化機能を有するカートリッジを内蔵するスペースを確保することが難しくなっている。そこで、シャワーヘッドにおけるグリップに、水の浄化機能を有するカートリッジを内蔵することも行われている。
グリップが太くなると持ちにくくシャワーヘッドの操作性が低下することから、グリップの太さには限度がある。そのため、グリップにカートリッジを内蔵するシャワーヘッドにおいては、通常は頭部内に内蔵する場合に比べて流路断面積が小さくなる。このことから、カートリッジをグリップに内蔵する場合に頭部に内蔵する場合と同じ量の浄化材を用いるためには、カートリッジを長尺にする必要がある。しかし、グリップ内に長尺のカートリッジを内蔵して該カートリッジに軸方向に通水すると、圧力損失が高くなって充分な通水量を確保しにくくなる。
【０００５】
そこで、カートリッジによる圧力損失を低減したシャワーヘッドとして、例えば、第一の通水路の外周側に第二の通水路を有する二重筒状体を有するグリップを備え、第二の通水路内に浄化材を充填したシャワーヘッドが提案されている（特許文献３）。しかし、該シャワーヘッドでは、圧力損失低下を抑制しつつ充分に残留塩素を除去できるように、第一の通水路と第二の通水路の流量を制御することが難しい。
【０００６】
また、グリップ内に、活性炭を主成分とする筒状の水質浄化材を備えるカートリッジが内蔵され、該水質浄化材の外周面から内周面に向かって流れて浄化された浄水が頭部から噴出されるシャワーヘッドも知られている（特許文献４）。該シャワーヘッドでは、長尺なカートリッジであっても水質浄化材を通過する通水経路が短くなるため、圧力損失を低減できる。しかし、該シャワーヘッドのカートリッジは構造が複雑なため、製造が困難である。
【先行技術文献】
【特許文献】
【０００７】
【特許文献１】特開２００２−７９２７１号公報
【特許文献２】特開２０００−３００４５８号公報
【特許文献３】実用新案登録第３１２１３２９号公報
【特許文献４】特開２００１−１７３４２号公報
【発明の概要】
【発明が解決しようとする課題】
【０００８】
本発明は、充分な水処理性能を確保しつつ、圧力損失を低減でき、かつ制御が容易で構造が簡便な水処理カートリッジ、及び該水処理カートリッジを備えるシャワーヘッドを提供することを目的とする。
【課題を解決するための手段】
【０００９】
本発明の水処理カートリッジは、径方向よりも軸方向に長い筒状のカートリッジケースと、前記カートリッジケース内に水処理材が充填されて形成された水処理層と、を備え、前記水処理層に、該水処理層における軸方向に略平行する側面からその反対側に向かって水が流れるようになっている。
【００１０】
本発明の水処理カートリッジにおいては、前記水処理材は、陽イオン交換体であることが好ましい。
【００１１】
本発明のシャワーヘッドは、本発明の水処理カートリッジを備える。
【発明の効果】
【００１２】
本発明の水処理カートリッジは、充分な水処理性能を確保しつつ、圧力損失を低減でき、かつ制御が容易で構造が簡便である。
本発明のシャワーヘッドは、充分な水処理性能を確保しつつ、圧力損失を低減でき、かつ制御が容易で構造が簡便な水処理カートリッジが収容されている。
【図面の簡単な説明】
【００１３】
【図１】本発明の水処理カートリッジを示した斜視図である。
【図２】図１の水処理カートリッジを示した正面図である。
【図３】図１の水処理カートリッジのＡ−Ａ断面図である。
【図４】図３の水処理カートリッジのＢ−Ｂ断面図である。
【図５】図３の水処理カートリッジのＣ−Ｃ断面図である。
【図６】図１の水処理カートリッジを備えるシャワーヘッドの一例を示した部分断面図である。
【図７】図６のシャワーヘッドのグリップに水処理カートリッジを着脱する様子を示した断面図である。
【図８】比較例で作製した水処理カートリッジを示した概略断面図であり、図８（Ａ）は比較例１の水処理カートリッジであり、図８（Ｂ）は比較例２の水処理カートリッジである。
【図９】比較例３で作製した水処理カートリッジを示した概略断面図であり、図９（Ａ）は縦断面図であり、図９（Ｂ）は横断面図である。
【図１０】比較例４で作製した水処理カートリッジを示した概略断面図であり、図１０（Ａ）は縦断面図であり、図１０（Ｂ）は横断面図である。
【図１１】本発明の水処理カートリッジの他の例を示した図であり、図１１（Ａ）は正面図であり、図１１（Ｂ）はＤ−Ｄ断面図である。
【発明を実施するための形態】
【００１４】
＜水処理カートリッジ＞
以下、本発明の水処理カートリッジの一例を示して説明する。
本実施形態の水処理カートリッジ１は、図１〜３に示すように、径方向よりも軸方向に長い筒状のカートリッジケース１０と、カートリッジケース１０内に水処理材が充填されて形成された水処理層１２と、を備えている。
この例の水処理カートリッジ１は、シャワーヘッドにおけるグリップに収容されるものである。
【００１５】
（カートリッジケース）
カートリッジケース１０は、円筒状の胴部１４と、胴部１４の上端開口部を閉じる上蓋部１６と、胴部１４の下端開口部に設けられた底部１８と、を備えている。この例のカートリッジケース１０は、上蓋部１６がシャワーヘッドにおける頭部側を向くようにグリップ内に収容される。
【００１６】
上蓋部１６は、平面視形状が円形状の平板部１６ａと、平板部１６ａの下面から垂下された円環状の環状凸部１６ｂとを備えている。環状凸部１６ｂは、胴部１４の上端開口部内に嵌まり込むようになっている。上蓋部１６の環状凸部１６ｂが胴部１４の上端開口部内に嵌まり込むことで、胴部１４の上端開口部が密閉される。
【００１７】
底部１８は、底面視形状が円形状で、中央に開口が形成された平板部１８ａと、平板部１８ａの下面側における開口の周囲から垂下された筒部１８ｂと、平板部１８ａの上面から突出した円環状の環状凸部１８ｃとを備えている。環状凸部１８ｃは、胴部１４の下端開口部内に嵌まり込むようになっている。底部１８の環状凸部１８ｃが胴部１４の下端開口部内に嵌まり込んだ状態においては、環状凸部１８ｃの下端開口部から胴部１４内に水が流れ込むようになっている。
【００１８】
胴部１４内には、図３〜５に示すように、内部側壁２２と内部底壁２４とによって、水処理材が充填される収容室２０が形成されている。収容室２０内に水処理材が充填されることで、収容室２０内に水処理層１２が形成される。収容室２０内に形成される水処理層１２は、径方向の長さよりも軸方向の長さが長くなっている。
【００１９】
内部側壁２２は、平板状であり、胴部１４内における背面寄りに、胴部１４の上端から下方に向かって延び、かつ胴部１４の径方向に対して直交するように設けられている。内部底壁２４は、胴部１４内における下端寄りに、胴部１４の正面側の内壁面から内部側壁２２まで延びるように設けられている。
この例の収容室２０の軸方向に対して垂直方向の断面形状は、図５に示すように、円形におけるカートリッジケース１０の背面側の一部が直線状に切り欠かれた欠円状になっている。
【００２０】
胴部１４内においては、底部１８における筒部１８ｂの下端開口部から流れ込んだ水は、胴部１４内において、内部底壁２４と平板部１８ａの間を通って、内部側壁２２と胴部１４の内壁面との間の流路２８を上方に向かって流れる。
また、内部側壁２２には、幅方向の中央部に、上端から下端まで延びる帯状の開口部２２ａが形成されている。これにより、内部側壁２２と胴部１４の内壁面との間の流路２８を上方に向かって流れる水は、開口部２２ａから収容室２０内に流れ込むようになっている。
【００２１】
本発明においては、水処理層の外周側に軸方向に延び、該水処理層に流入される前の水が流れる流路、すなわち水処理層の外周側に軸方向に延びる一次側の流路が、該流路の先に進むにしたがって狭くなっていることが好ましい。この例では、内部側壁２２と胴部１４の内壁面との間の流路２８は、上方に向かうにつれて流路が狭くなっていることが好ましい。これにより、水処理カートリッジ１に通水した時の圧力損失を低く抑えることが容易になる。
【００２２】
胴部１４における正面側の側壁には、胴部１４の軸方向に４つ、周方向に２つの合計８つの開口部２６が並んで形成されている。カートリッジケース１０内において収容室２０内に流れ込み、水処理層１２によって処理された水は、開口部２６からカートリッジケース１０の外部に排出される。
このように、水処理カートリッジ１では、水処理層１２に対して、水処理層１２における軸方向に略平行する側面の背面側からその反対側の正面側に向かって水が流れるようになっている。
【００２３】
なお、本発明において、水処理層における軸方向に略平行する側面とは、軸方向に平行する側面に加えて、製造時に型から抜きやすくするため等の理由でわずかにテーパーがかかったものも含むものとする。水処理層の側面にテーパーがついている場合、軸方向と水処理層の側面とがなす角度は、５°以下が好ましく、２°以下がより好ましい。
【００２４】
カートリッジケースの胴部に形成される開口部は、カートリッジケース内に収容された水処理層の軸方向の一方の端から他方の端まで均一に形成されていることが好ましい。
この例の開口部２６の正面視形状は、軸方向の長さが長い矩形の各隅部が円弧状に隅切りされた略矩形状になっている。なお、カートリッジケースの胴部に形成される開口部の正面視形状は、前記した略矩形状には限定されない。
【００２５】
カートリッジケースの胴部に形成される開口部の数は、特に限定されず、７個以下であってもよく、９個以上であってもよい。
カートリッジケースの胴部に形成される開口部の大きさは、該開口部の形状及び数に応じて適宜設定すればよい。
【００２６】
カートリッジケース１０の材質としては、特に限定されず、加工性の点から、樹脂が好ましい。具体的には、例えば、ポリプロピレン、ポリフェニレンエーテル、ポリオキシメチレン、ポリカーボネート、ＡＢＳ、ＡＳＡ、ＰＭＰ樹脂等の軟化点が８０℃以上の耐熱性の樹脂が挙げられる。カートリッジケース１０は、必要に応じて、水処理材の汚れ、潰れ等の状態を確認することができるように、透明もしくは半透明部材で形成してもよい。
カートリッジケース１０の製造方法は、特に限定されず、公知の成形方法等を採用できる。
【００２７】
（水処理層）
水処理層１２を形成する水処理材としては、水を接触させることで水質を変えることができるものであればよく、例えば、公知の浄化材、軟水化材等が挙げられる。
浄化材としては、例えば、亜硫酸カルシウム、アスコルビン酸、活性炭等の脱塩素機能を有する浄化材等が挙げられる。浄化材によりシャワーヘッドから噴出させる水から塩素を除去することで、髪や肌が傷むことを抑制できる。
【００２８】
軟水化材としては、陽イオン交換体が好ましい。軟水化材によりシャワーヘッドから噴出させる水を軟水化することで、泡立ちがより良好になり、髪がより滑らかでサラサラになりやすい。
陽イオン交換体としては、例えば、スルホン酸基等の強酸基を有する強酸性陽イオン交換樹脂、カルボキシ基等の弱酸基を有する弱酸性陽イオン交換樹脂等が挙げられる。なかでも、強酸性陽イオン交換樹脂が好ましい。
【００２９】
陽イオン交換樹脂としては、市販品を使用できる。例えば、オルガノ株式会社製「アンバージェット」、「アンバーライト」；三菱化学株式会社製「ダイヤイオン」等が挙げられる。
【００３０】
収容室２０内に水処理材を充填する態様は、特に限定されず、水処理材を充填して水処理層１２を形成できるものであればよい。具体的には、例えば、水処理材を不織布等から形成された袋内に収容した状態で収容室２０内に収容する態様、不織布等の通水性を有する２枚のシートで水処理材を包んでロール状に巻いたものを収容室２０内に充填する態様、球状、顆粒状、円柱状、錠剤状等の水処理材をそのまま収容室２０内に充填する態様、合成繊維と混合して所定の形状に成形した水処理材を収容室２０内に充填する態様、繊維状の水処理材をロール状に巻く、又は折り畳む等して収容室２０内に充填する態様等が挙げられる。また、球状、顆粒状、円柱状、錠剤状、繊維状等の水処理材を成形して収容室２０内に充填してもよい。
【００３１】
水処理層には、水処理材に加えて、公知の機能付加材を含有させてもよい。
機能付加材としては、例えば、臭気除去剤（ジビニルベンセン系ポリマー等）、保湿剤（植物エキス、ヒアルロン酸、コラーゲン等）、清涼剤（メントール、ミョウバン等）、芳香剤（ローズウッド、ジャスミン、ラベンダー等）等が挙げられる。
機能付加材は、１種を単独で使用してもよく、２種以上を併用してもよい。
【００３２】
（作用効果）
水処理カートリッジ１においては、底部１８における筒部１８ｂの下端開口部から水がカートリッジケース１０内に流入し、平板部１８ａと内部底壁２４との間を通って、内部側壁２２と胴部１４の間の流路２８を上方に向かう。そして、内部側壁２２と胴部１４の間の流路２８を流れる水は、軸方向の全体にわたって、内部側壁２２に形成された開口部２２ａから、収容室２０内に形成された水処理層１２に入り、水処理材と接触した後に胴部１４の側壁に形成された開口部２６からカートリッジケース１０の外部に流出する。このように、水処理カートリッジ１では、水処理層１２において、水処理層１２の軸方向に略平行する側面における背面側の部分１２ａからその反対側の正面側の部分１２ｂに向かって水が流れるようになっている。そのため、水処理層１２が軸方向に長くても、水処理層１２に対して軸方向に水が流れる場合に比べて、充分な水処理性能を確保しつつ、圧力損失を低く抑えることができる。
【００３３】
水処理カートリッジ１に通水したときの圧力損失は、流量が８Ｌ／分の通水において、１００ｋＰａ以下が好ましく、８０ｋＰａ以下がより好ましい。
【００３４】
以上のように、本発明の水処理カートリッジでは、充分な水処理性能を確保しつつ、圧力損失を低減できる。また、本発明の水処理カートリッジは、筒状の浄化材の外周面から内周面、または内周面から外周面に向かって水が流れるようになっているカートリッジに比べて、水処理層を形成するための構造が簡便である。また、残留塩素や、カルシウムイオン、マグネシウムイオン等の除去率は、水処理層の径方向の長さ（通水経路の長さ）を調節することで容易に制御できる。
【００３５】
なお、本発明の水処理カートリッジは、水処理層に、該水処理層における軸方向に略平行する側面からその反対側に向かって水が流れるようになっていれば、前記した水処理カートリッジ１には限定されない。
例えば、胴部の形状は円筒状には限定されず、四角柱状等、シャワーヘッドにおけるカートリッジの収容部分の形状に応じて適宜決定すればよい。また、シャワーヘッド内に収容した際の水処理カートリッジの向きを決めるために、胴部における軸方向に対して垂直な断面形状を軸に対して非対称な形状としたり、胴部の外周面に突起等を設けたりしてもよい。
【００３６】
具体的には、例えば、図１１に示すように、胴部１４と上蓋部１６において、それらの平面視形状が、円形における開口部２６が形成された側（前面側）の一部が直線状に切り欠かれた欠円状となるように切り欠き面２５が形成され、切り欠き面２５に開口部２６が形成された水処理カートリッジ１Ａとしてもよい。この例では、切り欠き面２５は胴部１４の上端から下端近傍まで形成されている。なお、切り欠き面２５は胴部１４の上端から下端まで形成されていてもよい。このように切り欠き面２５に開口部２６を形成した水処理カートリッジ１Ａは、シャワーヘッド内に収容したときに、切り欠き面２５とシャワーヘッドの内壁面との間に流路断面積が充分に広い流路を形成しやすい点で有利である。
【００３７】
また、本発明の水処理カートリッジは、カートリッジケースの胴部に開口部が形成されていないものであってもよい。具体的には、開口部を有する内部側壁を胴部内における正面寄りにも設け、さらに底部１８と同様の態様の上蓋部を設けて、水処理層を通過した水が胴部の内壁面と内部側壁との間を通って上蓋部における上部開口端から流出する水処理カートリッジでもよい。
また、胴部の正面側と背面側の側壁の両方に開口部を形成し、背面側の開口部から胴部内に水が流入し、水処理層における軸方向に略平行する側面の背面側から正面側に向かって水が流れ、正面側の開口部から水が流出する水処理カートリッジとしてもよい。また、本発明の水処理カートリッジでは、水処理層における軸方向に略平行する側面の正面側から背面側に向かって水が流れるようにしてもよい。
【００３８】
＜シャワーヘッド＞
本発明のシャワーヘッドは、本発明の水処理カートリッジを備えるものである。本発明のシャワーヘッドは、本発明の水処理カートリッジを備える以外は、公知の態様を採用できる。以下、本発明のシャワーヘッドの一例として、水処理カートリッジ１を備えるシャワーヘッドについて説明する。
本実施形態のシャワーヘッド１００は、図６に示すように、グリップ１１０と、グリップ１１０の先端側に設けられた頭部１１２と、グリップ１１０の下端部に着脱可能に設けられたアダプタ１１４とを備えている。
【００３９】
グリップ１１０と頭部１１２は一体に形成されており、頭部１１２がグリップ１１０に対して前面側に傾斜している。
頭部１１２は、正面視形状が円形状の頭部本体１１２ａと、頭部本体１１２ａの正面側に設けられた散水板１１２ｂとを備える。散水板１１２ｂには、多数の細かな孔が穿設されており、それらの孔から水が噴出してシャワーとなるようにされている。
【００４０】
頭部１１２とグリップ１１０における上部寄りの内部には、水の噴出パターン等を切り替える切替機構（図示せず）が内蔵されおり、グリップ１１０の前面にその切替を行うスイッチ１２０が設けられている。
グリップ１１０における下端側の内部には、カートリッジ収容部１１６が形成されている。また、グリップ１１０の内部には、カートリッジ収容部１１６の背面側の部分から頭部１１２に向けて原水が通過する通水路１１８が形成されている。
【００４１】
カートリッジ収容部１１６には、水処理カートリッジ１が収容される。具体的には、カートリッジ収容部１１６においては、上蓋部１６が頭部１１２側に向き、かつカートリッジケース１０における胴部１４に形成された開口部２６が通水路１１８側を向くように水処理カートリッジ１が収容される。
【００４２】
アダプタ１１４は、内部に通水路１１４ａが形成され、上端部１１４ｂがグリップ１１０の下端部に着脱できるようになっており、かつ下端部１１４ｃがシャワーホース等に連結できるようになっている。グリップ１１０の下端部にアダプタ１１４を着脱自在に設ける態様としては、特に限定されず、例えば、グリップ１１０の下端部の外周面とアダプタ１１４の上端部１１４ｂの内周面にネジ溝を形成し、グリップ１１０の下端部にアダプタ１１４が螺合装着される態様等が挙げられる。アダプタ１１４の下端部１１４ｃをホース等と接続する態様も特に限定されず、ネジ溝等により螺合装着する態様等が挙げられる。
グリップ１１０とアダプタ１１４との接続部分には、必要に応じて公知のＯリング等を設置することができる。
【００４３】
アダプタ１１４の上端部１１４ｂをグリップ１１０の下端部に装着し、さらにアダプタ１１４の下端部１１４ｃをシャワーホース等に連結した状態では、アダプタ１１４の通水路１１４ａを介して水処理カートリッジ１の底部１８における筒部１８ｂの下端開口部から水がカートリッジケース１０内に流入する。そして、流入した水は、平板部１８ａと内部底壁２４との間から、内部側壁２２と胴部１４の間の流路２８を上方に向かい、さらに内部側壁２２に形成された開口部２２ａから、収容室２０内に形成された水処理層１２に入る。次いで、水処理層１２においてその軸方向に略平行する側面の一方の側の部分１２ａから反対側の部分１２ｂに向かって流れ、水処理材と接触した水は、胴部１４の側壁に形成された開口部２６から、グリップ１１０内におけるカートリッジケース１０の外部の通水路１１８に流出し、頭部１１２へと到達して散水板１１２ｂから散水される。
【００４４】
この例のシャワーヘッド１００では、グリップ１１０の下端部寄りにカートリッジ収容部１１６が形成され、アダプタ１１４が着脱式になっているため、アダプタ１１４をグリップ１１０の下端部から取り外した状態においては、図７に示すように、水処理カートリッジ１を容易に取り換えることができる。そのため、水処理材の処理性能の寿命が短い場合でも、水処理カートリッジを取り換えつつ使用することが容易である。
【００４５】
グリップ１１０、頭部１１２及びアダプタ１１４の材質としては、特に限定されず、シャワーヘッドに用いられる公知の材質を採用できる。具体的には、カートリッジケースの材質として挙げた樹脂等が挙げられる。グリップ１１０における水処理カートリッジ１が収容される部分は、必要に応じて、水処理材の汚れ、潰れ等の状態を確認することができるように、透明もしくは半透明部材で形成してもよい。
グリップ１１０、頭部１１２及びアダプタ１１４の製造方法は、特に限定されず、公知の成形方法等を採用できる。
【００４６】
以上説明した本発明のシャワーヘッドにおいては、内部に収容された水処理カートリッジにおいて、水処理層に、該水処理層における軸方向に略平行する側面からその反対側に向かって水が流れるようになっている。そのため、水処理カートリッジがグリップ内に収容されて水処理層が軸方向に長くなっても、充分な水処理性能を確保しつつ、圧力損失を低く抑えることができる。
【００４７】
なお、本発明のシャワーヘッドは、本発明の水処理カートリッジを備えるものであれば、前記したシャワーヘッド１００には限定されない。
例えば、シャワーヘッド１００においては、頭部１１２とグリップ１１０とは一体に形成されていたが、本発明のシャワーヘッドは、頭部とグリップが着脱自在に分離可能なものであってもよい。
また、グリップにおける頭部寄りに水処理カートリッジが収容されるシャワーヘッドであってもよく、水処理カートリッジの一部がグリップ部内に収容され、残部が頭部内に収容されるシャワーヘッドであってもよい。
【実施例】
【００４８】
以下、実施例によって本発明を詳細に説明するが、本発明は以下の記載によっては限定されない。
［圧力損失の測定方法］
各例の水処理カートリッジについて、ブルドン管式圧力計によって、流量８Ｌ／分で通水したときの圧力損失を測定した。
【００４９】
［除去率］
各例の水処理カートリッジに通水した水中に含まれるマグネシウムイオン及びカルシウムイオンの除去率をＩＣＰ発光分析装置によって測定した。除去率は、通水初期と、１００Ｌ通水後にそれぞれ測定した。
【００５０】
［実施例１］
図１〜５に例示した水処理カートリッジ１を作製した。収容室２０内に水処理材として強酸性イオン交換樹脂（製品名「アンバーライト１２２０」、オルガノ社製、以下同じ。）の約２０ｍＬを充填して水処理層１２（高さ７５ｍｍ、側面における一方の側の部分１２ａとその反対側の部分１２ｂの最大長さ１７ｍｍ）を形成した。
得られた水処理カートリッジ１に通水したときの圧力損失の測定結果を表１に示す。
【００５１】
［比較例１］
図８（Ａ）に示すように、円筒状の胴部１４Ａ内に、水処理材として強酸性イオン交換樹脂の約２０ｍＬを充填して直径３８ｍｍ×高さ２０ｍｍの円板状の水処理層１２Ａを形成して、水処理カートリッジを作製した。
得られた水処理カートリッジに通水したときの圧力損失の測定結果を表１に示す。
【００５２】
［比較例２］
図８（Ｂ）に示すように、円筒状の胴部１４Ｂ内に、水処理材として強酸性イオン交換樹脂の約２０ｍＬを充填して直径２０ｍｍ×高さ７０ｍｍの円柱状の水処理層１２Ｂを形成して、水処理カートリッジを作製した。
得られた水処理カートリッジに通水したときの圧力損失の測定結果を表１に示す。
【００５３】
［比較例３］
図９（Ａ）及び図９（Ｂ）に示すように、円筒状の胴部１４Ｃ内に、水処理材として強酸性イオン交換樹脂の約２０ｍＬを充填し、軸方向に垂直な断面において一部が扇状に欠けている略円柱状の水処理層１２Ｃを形成して、水処理カートリッジを作製した。
得られた水処理カートリッジに通水したときの圧力損失の測定結果を表１に示す。
【００５４】
［比較例４］
図１０（Ａ）及び図１０（Ｂ）に示すように、円筒状の胴部１４Ｄ内に、水処理材として強酸性イオン交換樹脂の約２０ｍＬを充填し、円筒状の水処理層１２Ｄを形成して、水処理層１２Ｄの内周面から外周面に向かって水が流れる水処理カートリッジを作製した。
得られた水処理カートリッジに通水したときの圧力損失の測定結果を表１に示す。
【００５５】
【表１】
2017051917.tif 000003
【００５６】
表１に示すように、実施例１の水処理カートリッジでは、充分な水処理性能が得られ、圧力損失も低かった。また、実施例１の水処理カートリッジは径が細いため、シャワーヘッドのグリップに内蔵しても操作性が良く、水処理性能の制御も容易であった。
比較例１の水処理カートリッジは、充分な水処理性能が得られ、圧力損失も低かったが、径が太いためにシャワーヘッドのグリップに内蔵すると該グリップが太くなって持ちにくくなる。
比較例２の水処理カートリッジは、初期の水処理性能は高いものの、１００Ｌ通水後は充分な水処理性能が得られず、また圧力損失が高かった。
比較例３の水処理カートリッジは、充分な水処理性能が得られ、圧力損失も低かったが、水処理層１２Ｃを流れる水の流量と、水処理層１２Ｃの欠け部分を流れる水の流量を制御することが難しく、性能が不安定であった。
比較例４の水処理カートリッジは、充分な水処理性能が得られ、圧力損失も低かったが、構造が複雑で製造が困難であった。
【符号の説明】
【００５７】
１，１Ａ  水処理カートリッジ
１０  カートリッジケース
１２  水処理層
１２ａ，１２ｂ  部分
１４  胴部
１６  上蓋部
１８  底部
２０  収容室
２２  内部側壁
２４  内部底壁
２５  切り欠き面
２６  開口部
２８  流路
１００  シャワーヘッド
１１０  グリップ
１１２  頭部
１１４  アダプタ
１１６  カートリッジ収容部
１１８  通水路
１２０  スイッチ
【図１】
2017051917.tif 000004
【図２】
2017051917.tif 000005
【図３】
2017051917.tif 000006
【図４】
2017051917.tif 000007
【図５】
2017051917.tif 000008
【図６】
2017051917.tif 000009
【図７】
2017051917.tif 000010
【図８】
2017051917.tif 000011
【図９】
2017051917.tif 000012
【図１０】
2017051917.tif 000013
【図１１】
2017051917.tif 000014